(57)【特許請求の範囲】
【請求項１】
装置本体と、前記装置本体に取り付けられて使用される分割片と、を備え、前記分割片に糸を巻き付けてポンポンを作成するためのポンポン作成装置であって、
前記分割片は、円弧状の湾曲部と、前記湾曲部の両端に形成された脚部と、を備え、
前記装置本体は、前記脚部を着脱可能な取付部と、前記取付部を揺動可能に支持する支持部と、前記支持部を回転操作させるためのハンドルと、前記取付部に取り付けられた前記分割片の方向へ糸を引き出すための糸案内部と、を備え、
前記ハンドルが操作されて前記取付部が回転したときに、前記糸案内部から引き出された糸が、前記取付部に取り付けられた前記分割片の湾曲部に巻き付くように構成されており、
前記円弧状の湾曲部の中心角を９０度以下とし、前記取付部を前記支持部に対して揺動させることで、前記湾曲部に対する糸の巻き付け位置を調整可能としたことを特徴とする、ポンポン作成装置。
【請求項２】
前記湾曲部は、内周縁の中央部分が正円弧よりも外周方向に湾曲して形成されていることを特徴とする、請求項１記載のポンポン作成装置。
【請求項３】
前記糸案内部は、糸を挿通して保持する挿通保持部と、前記挿通保持部に挿通させた糸の先端側を引っ掛けるスリットと、を備えることを特徴とする、請求項１又は２記載のポンポン作成装置。
【発明の詳細な説明】
【技術分野】
【０００１】
この発明は、毛糸などで玉房状の飾り（ポンポン）を作成するためのポンポン作成装置に関する。
【背景技術】
【０００２】
従来、ポンポンを作成する方法として、半円弧状のパーツを重ね合わせたものに糸を巻き付ける方法が知られている。この方法では、糸を巻き付けたパーツを２個用意し、これをリング状に結合させ、重ね合わせたパーツの間に鋏を挿し入れて切断した後、切断部分を糸で括ることでポンポンを作成することができる。しかしながら、手でパーツに糸を巻き付ける従来の方法では巻き付ける作業に多くの時間が掛かかり、作業の労力が大きかった。
【０００３】
この点に関し、特許文献１には、機械的に糸巻作業が行えるボンボン作成用糸巻機の発明が開示されている。この特許文献１記載の発明によれば、装置に糸をセットしてやれば、その後は機械的に糸巻作業が短時間で簡単に行え、しかも、糸の巻き付け強さが常に一定になり、仕上がりの良いボンボンが形成できるとされている。
【先行技術文献】
【特許文献】
【０００４】
【特許文献１】特開２００２−２２０７７２号公報
【発明の概要】
【発明が解決しようとする課題】
【０００５】
しかし、上記した特許文献１記載の装置には以下のような問題点があった。
【０００６】
まず、装置が大掛かりであり、部品点数も多いことから、製造コストが高価にならざるを得ないという問題があった。そして、装置が大型であり、収容スペースや設置場所を選ぶという問題があった。
【０００７】
また、糸をセットする際には、糸振り手段などの４箇所に引っ掛けた上で腕片に仮止めする方式であるため、糸の取り付けが煩雑であり、手軽に使用できないという問題があった。
【０００８】
そこで、本発明は、部品点数の少ない簡易な構成で安価に製造でき、小型で作業性の良いポンポン作成装置を提供することを課題とする。
【課題を解決するための手段】
【０００９】
本発明は、上記した課題を解決するためになされたものであり、以下を特徴とする。
【００１０】
請求項１記載の発明は、装置本体と、前記装置本体に取り付けられて使用される分割片と、を備え、前記分割片に糸を巻き付けてポンポンを作成するためのポンポン作成装置であって、前記分割片は、円弧状の湾曲部と、前記湾曲部の両端に形成された脚部と、を備え、前記装置本体は、前記脚部を着脱可能な取付部と、前記取付部を揺動可能に支持する支持部と、前記支持部を回転操作させるためのハンドルと、前記取付部に取り付けられた前記分割片の方向へ糸を引き出すための糸案内部と、を備え、前記ハンドルが操作されて前記取付部が回転したときに、前記糸案内部から引き出された糸が、前記取付部に取り付けられた前記分割片の湾曲部に巻き付くように構成されており、前記円弧状の湾曲部の中心角を９０度以下とし、前記取付部を前記支持部に対して揺動させることで、前記湾曲部に対する糸の巻き付け位置を調整可能としたことを特徴とする。
【００１１】
請求項２に記載の発明は、上記した請求項１に記載の発明の特徴点に加え、前記湾曲部は、内周縁の中央部分が正円弧よりも外周方向に湾曲して形成されていることを特徴とする。
【００１２】
請求項３に記載の発明は、上記した請求項１又は２に記載の発明の特徴点に加え、前記糸案内部は、糸を挿通して保持する挿通保持部と、前記挿通保持部に挿通させた糸の先端側を引っ掛けるスリットと、を備えることを特徴とする。
【発明の効果】
【００１３】
請求項１に記載の発明は上記の通りであり、分割片は、円弧状の湾曲部と、前記湾曲部の両端に形成された脚部と、を備え、装置本体は、前記脚部を着脱可能な取付部と、前記取付部を揺動可能に支持する支持部と、前記支持部を回転操作させるためのハンドルと、前記取付部に取り付けられた前記分割片の方向へ糸を引き出すための糸案内部と、を備え、前記ハンドルが操作されて前記取付部が回転したときに、前記糸案内部から引き出された糸が、前記取付部に取り付けられた前記分割片の湾曲部に巻き付くように構成されている。そして、本発明は、従来のように半円弧状のパーツを使用するのではなく、湾曲部の中心角を９０度以下とした分割片（例えば四半円弧状の分割片）を使用することで、取付部が回転して糸を巻き取る構造を実現している。このような構成によれば、取付部が回転するだけで糸が巻き付けられていくため、特許文献１記載の装置のように糸振り手段を設けなくてもよい。よって、部品点数が少ない小型の装置となり、製造コストを安価にすることができる。
【００１４】
また、前記取付部を前記支持部に対して揺動させることで、前記湾曲部に対する糸の巻き付け位置を調整可能とした。よって、糸の巻き付けが均一になるように調整しながら任意の厚みで巻き付けることができるので、仕上がりの良いポンポンを作成することができる。
また、特許文献１記載の装置のように糸振り手段に糸をセットする必要もないので、糸の取り付けも容易であり、作業性が良い。
【００１５】
また、請求項２に記載の発明は上記の通りであり、前記湾曲部は、内周縁の中央部分が正円弧よりも外周方向に湾曲して形成されている。このような構成によれば、内周縁の距離を長くして糸が放射状に広がるように巻き付けることができるので、糸の重なりができるだけできないようにしてポンポンの仕上がりを丸くすることができる。
【００１６】
また、請求項３に記載の発明は上記の通りであり、前記糸案内部は、糸を挿通して保持する挿通保持部と、前記挿通保持部に挿通させた糸の先端側を引っ掛けるスリットと、を備える。このような構成によれば、簡単な構成で糸を案内することができるので、部品点数の少ない簡易な構成で安価に装置を製造することができる。また、ユーザが糸の取り付ける作業も容易とすることができる。
【図面の簡単な説明】
【００１７】
【図１】装置本体の外観図である。
【図２】（ａ）分割片とクリップの外観図、（ａ）２つの分割片をクリップで結合した状態の図である。
【図３】分割片の側面図である。
【図４】糸案内部の使用方法を説明する図であって、（ａ）狭持板を開放した状態の図、（ｂ）狭持板で糸を抑え付けた状態の図である。
【図５】分割片に糸を巻き付ける様子を示す説明図であって、（ａ）取付部を前方に倒した状態の図、（ｂ）取付部を後方に倒した状態の図である。
【図６】糸を巻き付けた分割片を組み合わせた状態の図であって、（ａ）糸の外周部を切断する前の図、（ｂ）糸の外周部を切断した後の図である。
【図７】（ａ）異なる色の糸を使用した分割片を組み合わせた図、（ｂ）異なる色の糸を使用したポンポンの外観図である。
【発明を実施するための形態】
【００１８】
本発明の実施形態について、図を参照しながら説明する。
【００１９】
本実施形態に係るポンポン作成装置は、糸４０（毛糸など）で玉房状の飾り（ポンポン）を作成するためのものであり、図１に示すような装置本体１０と、図２に示すような分割片３０と、を備えている。
【００２０】
装置本体１０は、図１に示すように、装置本体１０を平坦な場所に置いたときに接地する底板部１１と、この底板部１１から略垂直に立設する立壁部２０と、を備える。
【００２１】
底板部１１の上面には、糸４０をセットして引き出すための糸案内部１５が設けられている。糸案内部１５は、図４に示すように、底板部１１の上面に固定された下部案内部材１６と、この下部案内部材１６の近傍に取り付けられたピン１７と、このピン１７によって水平方向に回動可能に取り付けられた狭持板１８と、を備える。
【００２２】
下部案内部材１６は、垂直に立ち上がる一対の案内壁部１６ａを備えており、この案内壁部１６ａの上端縁には切欠き１６ｂが設けられている。
【００２３】
狭持板１８は、ピン１７を中心に回動する平板状部材である。狭持板１８の幅は、切欠き１６ｂの幅よりも大きく形成されている。また、この狭持板１８は、下面が案内壁部１６ａの上端と略同じ高さとなるようにピン１７によって支持されている。この狭持板１８は、図４（ｂ）に示すように、一対の案内壁部１６ａに対して平面視で直交するように回動可能となっており、このように狭持板１８を回動させることで一対の案内壁部１６ａに形成された切欠き１６ｂの上部を覆うことができるようになっている。なお、この狭持板１８の先端には、切欠き状のスリット１８ａが形成されている。
【００２４】
本実施形態においては、ピン１７の頭部と狭持板１８との間に圧縮バネが取り付けられており、この圧縮バネによって狭持板１８が下部案内部材１６に押し付けられている。このように狭持板１８が押し付けられることで、狭持板１８と狭持板１８との間に摩擦力が生じ、狭持板１８が容易に動かないようになっている。具体的には、糸４０の張力が加わった場合でも狭持板１８が動かないので、糸４０を張った状態を維持できるようになっている。一方で、手で狭持板１８を持ってスライドさせれば、容易に狭持板１８を回動できるようになっている。
【００２５】
上記した糸案内部１５に糸４０をセットするときには、まず、図４（ａ）に示すように、狭持板１８を回動させて下部案内部材１６の切欠き１６ｂの上部開口を露出させ、切欠き１６ｂに糸４０を引っ掛ける。次に、図４（ｂ）に示すように、狭持板１８を下部案内部材１６の上方に回動させ、この狭持板１８によって下部案内部材１６の切欠き１６ｂの上部開口を塞ぐ。このように切欠き１６ｂの上部開口が塞がれることで切欠き１６ｂと狭持板１８との間に穴が形成される。この穴は、糸４０を挿通して保持する挿通保持部として機能する。挿通保持部に挿通させた糸４０の先端側は、図５に示すように、狭持板１８のスリット１８ａに引っ掛けられて、上方へと案内される。
【００２６】
立壁部２０の後面には、ハンドル２２が取り付けられている。また、立壁部２０の前面には、支持部２４と取付部２６とが取り付けられている。
【００２７】
ハンドル２２は、支持部２４を回転操作させるための操作部であり、立壁部２０に対して回転自在に取り付けられている。このハンドル２２は支持部２４と接続されており、使用者がハンドル２２を手で持って回転させると、支持部２４が一体的に回転するようになっている。
【００２８】
支持部２４は、後述する取付部２６を揺動可能に支持する部位であり、図１に示すような側面視略Ｌ字形の部材である。この支持部２４は、立壁部２０の前面に臨む垂直板部２４ｂと、垂直板部２４ｂの端部から前方に略水平に突出して形成された張出部２４ｃと、張出部２４ｃの先端に設けられた揺動支持部２４ｄと、を備える。
【００２９】
垂直板部２４ｂの中央付近には回転軸部２４ａが設けられており、ハンドル２２が回転操作されたときに、支持部２４が回転軸部２４ａを中心に回転するようになっている。張出部２４ｃは、回転軸部２４ａから見て偏心位置に設けられているため、支持部２４が回転すると、張出部２４ｃが回転軸部２４ａを中心に円を描くように回転する。
張出部２４ｃの先端に設けられた揺動支持部２４ｄは、取付部２６を揺動可能に支持するための部位であり、半円筒状に形成されている。
【００３０】
取付部２６は、分割片３０を着脱可能な部位であり、揺動軸部２６ａを介して揺動支持部２４ｄに対して揺動可能に取り付けられる。この取付部２６は、分割片３０の脚部３２を後方から支持する背面板部２６ｂと、背面板部２６ｂの両側に鉤状に設けられた狭持片２６ｃと、を備える。背面板部２６ｂの下端部は揺動軸部２６ａに接続されており、これにより取付部２６が揺動支持部２４ｄに対して揺動可能となっている。
【００３１】
この取付部２６の前面（ハンドル２２とは反対側に向いた面）には、背面板部２６ｂと狭持片２６ｃとが相俟って挿入溝２６ｄが形成されており、この挿入溝２６ｄに分割片３０の脚部３２（後述）を挿入することで、取付部２６に分割片３０を取り付け可能となっている。挿入溝２６ｄに挿入された分割片３０の脚部３２は、先端が揺動支持部２４ｄの半円筒状の表面に突き当たる位置まで挿入可能となっている。
【００３２】
なお、上記したように、取付部２６は揺動軸部２６ａを中心に揺動可能となっており、手動で角度を変更できるようになっている。本実施形態に係る取付部２６の揺動範囲は約９０度であり、図５（ａ）に示すように取付部２６が略垂直となる位置から、図５（ｂ）に示すように取付部２６が略水平となる位置まで揺動することができるようになっている。
【００３３】
分割片３０は、上記した装置本体１０に取り付けられて使用されるパーツであり、図２（ｂ）に示すように、２つの分割片３０をクリップ３３で結合した状態で装置本体１０に取り付けられる。この分割片３０は、図２（ａ）に示すように、略四半円弧状の湾曲部３１と、この湾曲部３１の両端に形成された脚部３２と、を備える。
【００３４】
湾曲部３１は、薄板扇状に形成されており、その表面に凹部３１ｃ又は凸部３１ｄが形成されている。本実施形態においては、凹部３１ｃが形成された分割片３０と凸部３１ｄが形成された分割片３０とを一対とし、凹部３１ｃと凸部３１ｄとが係合するように湾曲部３１を重ね合わせることで、２つの分割片３０をずれなく重ね合わせることができるとともに、２つの分割片３０の間に隙間Ｇが生まれるようになっている。
本実施形態においては、湾曲部３１が略四半円弧状であるため、この湾曲部３１の中心角は略直角となっている。
【００３５】
ところで、この湾曲部３１の内周縁３１ａは、図３（ａ）に示すように、中央部分が正円弧よりも外周方向に湾曲して形成されている。このように内周縁３１ａの距離を長くすることで、糸４０を巻き付けたときに糸４０の重なりができるだけできないようにしてポンポンの仕上がりを丸くできるようにしている。なお、内周縁３１ａに合わせて外周縁３１ｂも中央部分が正円弧よりも外周方向に湾曲して形成されるようにしてもよい。
【００３６】
脚部３２は、分割片３０を装置本体１０に取り付けるための部位であり、湾曲部３１の両端部に設けられている。両端部に設けられた脚部３２の平面は互いに約９０度の角を成すように配置されている。このため、図３（ｂ）に示すように、互いの脚部３２を接面させるように４つの分割片３０をつなげてリング状とすることができるようになっている。
本実施形態に係るポンポン作成装置でポンポンを作成する手順は以下のとおりである。
まず、糸案内部１５に糸４０をセットする。
【００３７】
次に、一対の分割片３０を図２（ｂ）に示すようにクリップ３３で結合する。具体的には、クリップ３３は、一対の分割片３０の脚部３２を挟み込んで保持できる狭持溝３３ａを備えており、この狭持溝３３ａに一対の分割片３０の脚部３２を挿入することで一対の分割片３０を重ね合わせて結合する。
【００３８】
一対の分割片３０を結合したら、この一対の分割片３０を装置本体１０に取り付ける。具体的には、クリップ３３で固定していない方の分割片３０の脚部３２を、取付部２６の挿入溝２６ｄに挿入する。
【００３９】
分割片３０を取付部２６に取り付けたら、糸案内部１５のスリット１８ａから分割片３０の方向へ糸４０を引き出し、引き出した糸４０を湾曲部３１の周囲に数回巻き付けて仮止めする。
【００４０】
上記の操作によって糸４０のセットが完了したら、ハンドル２２を回転操作して支持部２４及び取付部２６を回転させる。取付部２６が回転することにより、糸案内部１５から引き出された糸４０が分割片３０の湾曲部３１に巻き付いていく。このとき、図５に示すように、取付部２６を支持部２４に対して揺動させることで、取付部２６の揺動角度を変更できる。取付部２６の揺動角度を変更することで、湾曲部３１に対する糸４０の巻き付け位置を調整することができるので、巻き付け具合いを見ながら取付部２６を動かすことで、均一に糸４０を巻き付けることができる。十分に巻き付けられたら、糸４０を巻き付けた分割片３０を装置本体１０から取り外す。
【００４１】
上記手順を繰り返し、糸４０を巻き付けた一対の分割片３０を４つ作成する。そして、この４つの一対の分割片３０（計８つの分割片３０）を、図６（ａ）に示すように組み合わせる。すなわち、一対の分割片３０を固定していたクリップ３３を取り外し、周方向に隣り合う脚部３２を結合するようにクリップ３４を取り付ける。このように分割片３０をリング状に組み合わせたら、図６（ｂ）に示すように、分割片３０の間の隙間Ｇから鋏などを挿し入れて糸４０の外周部分を切断する。切断後に隙間Ｇに括り糸を巻き付けて結ぶ。括り糸を結んで糸４０がばらばらにならないようにしたら、分割片３０を取り外す。後は、ポンポンの形が丸くなるように鋏などで糸４０の先端を刈り込んで形を整えればよい。
【００４２】
なお、糸４０は一色だけ使用してもよいし、図７に示すように多色の糸４０を使用してもよい。例えば図７（ａ）に示すように、一対の分割片３０を４つ作成するうちの１つについて他とは異なる色の糸４０を使用すれば、図７（ｂ）に示すように花のようなポンポンを作成することも可能である。本実施時形態に係るポンポン作成装置によれば、糸４０の巻き付け方を取付部２６の角度変更で容易に変更でき、また、分割片３０が従来のように半円弧状ではなく四半円弧状であるため、細かく糸４０の色を変更してバリエーション豊かなポンポンを作成することができる。
【００４３】
以上説明したように、本実施形態によれば、分割片３０は、略四半円弧状の湾曲部３１と、前記湾曲部３１の両端に形成された脚部３２と、を備え、装置本体１０は、前記脚部３２を着脱可能な取付部２６と、前記取付部２６を揺動可能に支持する支持部２４と、前記支持部２４を回転操作させるためのハンドル２２と、前記取付部２６に取り付けられた前記分割片３０の方向へ糸４０を引き出すための糸案内部１５と、を備え、前記ハンドル２２が操作されて前記取付部２６が回転したときに、前記糸案内部１５から引き出された糸４０が、前記取付部２６に取り付けられた前記分割片３０の湾曲部３１に巻き付くように構成されている。すなわち、本発明は、従来のように半円弧状のパーツを使用するのではなく、四半円弧状の分割片３０を使用することで、取付部２６が回転して糸４０を巻き取る構造を実現している。このような構成によれば、取付部２６が回転するだけで糸４０が巻き付けられていくため、糸振り手段を設けなくてもよい。よって、部品点数が少ない小型の装置となり、製造コストを安価にすることができる。
【００４４】
また、前記取付部２６を前記支持部２４に対して揺動させることで、前記湾曲部３１に対する糸４０の巻き付け位置を調整可能とした。よって、糸４０の巻き付けが均一になるように調整しながら任意の厚みで巻き付けることができるので、仕上がりの良いポンポンを作成することができる。
【００４５】
また、糸振り手段に糸４０をセットする必要もないので、糸４０の取り付けも容易であり、作業性が良い。
【００４６】
また、前記湾曲部３１は、内周縁３１ａの中央部分が正円弧よりも外周方向に湾曲して形成されている。このような構成によれば、内周縁３１ａの距離を長くして糸４０が放射状に広がるように巻き付けることができるので、糸４０の重なりができるだけできないようにしてポンポンの仕上がりを丸くすることができる。
【００４７】
また、前記糸案内部１５は、糸４０を挿通して保持する挿通保持部と、前記挿通保持部に挿通させた糸４０の先端側を引っ掛けるスリット１８ａと、を備える。このような構成によれば、簡単な構成で糸４０を案内することができるので、部品点数の少ない簡易な構成で安価に装置を製造することができる。また、ユーザが糸４０の取り付ける作業も容易とすることができる。
【００４８】
なお、上記した実施形態においては、分割片３０がリングを４分割したような形状となっているため、湾曲部３１の中心角が略直角となっている。しかしながら、本発明の実施形態としてはこれに限らず、湾曲部３１の中心角は９０度以下であればよく、その範囲で分割片３０の形状を変更してもよい。例えば、分割片３０がリングを６分割した形状としてもよく、この場合には湾曲部３１の中心角は約６０度となる。また、分割片３０がリングを８分割した形状としてもよく、この場合には湾曲部３１の中心角は約４５度となる。このように分割片３０の中心角を小さくすれば、より細かく糸４０の色を変更してバリエーション豊かなポンポンを作成することができる。なお、このように湾曲部３１の中心角を変更した場合、取付部２６の揺動範囲を湾曲部３１の中心角に合わせて変更してもよい。
【符号の説明】
【００４９】
１０  装置本体
１１  底板部
１５  糸案内部
１６  下部案内部材
１６ａ  案内壁部
１６ｂ  切欠き
１７  ピン
１８  狭持板
１８ａ  スリット
２０  立壁部
２２  ハンドル
２４  支持部
２４ａ  回転軸部
２４ｂ  垂直板部
２４ｃ  張出部
２４ｄ  揺動支持部
２６  取付部
２６ａ  揺動軸部
２６ｂ  背面板部
２６ｃ  狭持片
２６ｄ  挿入溝
３０  分割片
３１  湾曲部
３１ａ  内周縁
３１ｂ  外周縁
３１ｃ  凹部
３１ｄ  凸部
３２  脚部
３３  クリップ
３３ａ  狭持溝
３４  クリップ
４０  糸
Ｇ  隙間
【図１】
0006478779.tif 000002
【図２】
0006478779.tif 000003
【図３】
0006478779.tif 000004
【図４】
0006478779.tif 000005
【図５】
0006478779.tif 000006
【図６】
0006478779.tif 000007
【図７】
0006478779.tif 000008